(57)【特許請求の範囲】
【請求項１】
メモリカードに記録され、一つの音声ファイルの中に異なる記録モードで記録された音声データが混在する音声ファイルを再生することが可能な再生装置において、
ファイルヘッダとそれぞれにブロックヘッダが付随している複数の音声データとから構成された音声ファイルの上記ブロックヘッダに記憶された記録モードに関する情報を読み出して第１の記録モードか上記第１の記録モードよりも高い圧縮率の第２の記録モードかを判別し、上記第１の記録モードで記録された音声データは通常の速度で再生し、上記第２の記録モードで記録された音声データは上記通常の速度よりも速い速度で再生する再生手段を具備することを特徴とする再生装置。
【請求項２】
複数のブロックに分割され、そのブロック毎のブロックヘッダに音声データの圧縮率の指定が可能な音声データファイルを再生することが可能であり、メモリカードに記録された再生装置において、
上記ブロックのヘッダに記憶された上記圧縮率に関する情報を読み取り、上記ブロックの圧縮率を検出する圧縮率検出手段と、
上記圧縮率検出手段により検出された圧縮率に応じた速度で上記ブロックの音声データの再生を行う再生手段と、
を具備し、
上記再生手段は、上記音声データファイル中の所定の圧縮率で圧縮されたブロックの音声データのみを再生させる場合に、音声データに付随するブロックヘッダに記憶された記録モードに関する情報を読み出して、上記所定の圧縮率で圧縮された音声データのみを再生し、上記音声データファイル中の全てのブロックの音声データを再生させる場合に、各音声データに付随するブロックヘッダに記憶された記録モードに関する情報を読み出して、圧縮率に応じた速度で全ての音声データを再生することを特徴とする再生装置。
【発明の詳細な説明】
【０００１】
【発明の属する技術分野】
本発明は、音声データを再生する再生装置に関する。
【０００２】
【従来の技術】
従来より、マイクロホンより入力された音声をデジタル化し、音声圧縮処理を施して、記録媒体に音声データファイルとして記録し、また、この記録媒体に記録された音声データファイルを読み出して、伸張処理を施した後にアナログの音声情報に変換して、スピーカ等から音声として出力する再生装置たるデジタルレコーダに関する種々の技術が開発されている。
【０００３】
そして、現在汎用されているデジタルレコーダでは、ブロック単位で圧縮率を低圧縮のスタンダードプレイ（以下、ＳＰと称する）モードか高圧縮率のロングプレイ（以下、ＬＰと称する）モードかに切り替えて、操作者が所望とするいずれかの圧縮率で録音することが可能となっている。
【０００４】
この機能は、重要な内容はＳＰモードで録音して、途中でコメント的な付加情報の部分をＬＰモードに切り替えて録音すれば、記録媒体の節約になるので、かかる点からも非常に有効であるといえる。
【０００５】
【発明が解決しようとする課題】
しかしながら、前述したような従来技術では、再生を行う時に、ＳＰモードとＬＰモードの別を全く区別せずに再生しているので、重要な部分しか聞きたくない場合においても、重要度の低いＬＰモードで録音された部分もＳＰモードで録音された部分と同様に聞かなくてはならず、これらを区別して再生することがユーザにより嘱望されていた。
【０００６】
本発明は、上記問題に鑑みてなされたもので、その目的とするところは、同一ファイル内に複数の記録モードが混在している場合において、ユーザが所望とする効率の良い再生をすることが可能な再生装置を提供することにある。
【０００７】
【課題を解決するための手段】
上記目的を達成するために、本発明の第１の態様では、メモリカードに記録され、一つの音声ファイルの中に異なる記録モードで記録された音声データが混在する音声ファイルを再生することが可能な再生装置において、ファイルヘッダとそれぞれにブロックヘッダが付随している複数の音声データとから構成された音声ファイルの上記ブロックヘッダに記憶された記録モードに関する情報を読み出して第１の記録モードか上記第１の記録モードよりも高い圧縮率の第２の記録モードかを判別し、上記第１の記録モードで記録された音声データは通常の速度で再生し、上記第２の記録モードで記録された音声データは上記通常の速度よりも速い速度で再生する再生手段を具備することを特徴とする再生装置が提供される。
【０００８】
第２の態様では、複数のブロックに分割され、そのブロック毎のブロックヘッダに音声データの圧縮率の指定が可能な音声データファイルを再生することが可能であり、メモリカードに記録された再生装置において、上記ブロックのヘッダに記憶された上記圧縮率に関する情報を読み取り、上記ブロックの圧縮率を検出する圧縮率検出手段と、上記圧縮率検出手段により検出された圧縮率に応じた速度で上記ブロックの音声データの再生を行う再生手段とを具備し、上記再生手段は、上記音声データファイル中の所定の圧縮率で圧縮されたブロックの音声データのみを再生させる場合に、音声データに付随するブロックヘッダに記憶された記録モードに関する情報を読み出して、上記所定の圧縮率で圧縮された音声データのみを再生し、上記音声データファイル中の全てのブロックの音声データを再生させる場合に、各音声データに付随するブロックヘッダに記憶された記録モードに関する情報を読み出して、圧縮率に応じた速度で全ての音声データを再生することを特徴とする再生装置が提供される。
【００１１】
上記第１乃至第２の態様によれば以下の作用が奏される。
【００１２】
即ち、本発明の第１の態様では、再生手段により、第１の記録モードで記録された音声データは通常の速度で再生され、第２の記録モードで記録された音声データは通常よりも速い速度で再生される。
【００１３】
第２の態様では、再生手段により、ブロック毎の圧縮率に応じた速度で音声データが再生される。
【００１６】
【発明の実施の形態】
以下、図面を参照して、本発明の実施の形態について説明する。
【００１７】
先ず、図１は本発明の実施の形態に係る再生装置が適用された音声処理システムの構成を示す概念図である。以下、構成、作用を詳述する。
【００１８】
同図に示されるように、この音声処理システムは、再生装置たるディジタルレコーダ１とミニチュアカード２、ＰＣカードアダプタ３、パーソナルコンピュータ４からなる。更に、上記パーソナルコンピュータ４には、各種表示を行うディスプレイ５、操作部材たるキーボード６やマウス７が接続されている。
【００１９】
このような構成において、上記ディジタルレコーダ１で録音された音声データは、ミニチュアカード２に記録される。このミニチュアカード２は、ＰＣカードアダプタ３に装填され、当該ＰＣカードアダプタ３ごとパーソナルコンピュータ４に接続され、制御プログラム、再生プログラムに相当する音声認識プログラムのシーケンスに従って、音声が再生され、情報表示等が行われる。
【００２０】
ここで、図２には上記パーソナルコンピュータ４周辺の詳細な構成を示す。
即ち、同図に示されるように、全体の制御を司るＣＰＵ３１は、内部記録媒体３３、外部ポート３４、メインメモリ３２とバスを介して相互に通信自在に接続されている。さらに、インターフェース３９を介してＰＣカードスロット４０と接続され、インターフェース３５を介してディスプレイ５と接続され、インターフェース３６を介して操作部材たるキーボード６やマウス７と接続され、インターフェース３７を介してスピーカ３８と接続されている。尚、上記制御プログラムや音声認識プログラムは、内部記録媒体３３に予め記録されている。請求項記載の再生手段は、上記ＣＰＵ３１に相当する。
【００２１】
このような構成において、ＣＰＵ３１は、上記ミニチュアカード２に記録された音声データを、ＰＣカードスロット４０を介して受信し、メインメモリ３２に一時記憶する。そして、操作者によるキーボード６やマウス７の操作による指示に基づいて、内部記録媒体３３に記録された制御プログラム、更には音声認識プログラムのシーケンスに基づく動作を実行し、所定の音声認識処理を行う。こうして認識されたテキストデータは、適宜ディスプレイ５に表示され、更に所望とされるときには、スピーカ３８より音声出力もされる。
【００２２】
ここで、図３は実際の音声認識処理画面（ウィンドウ）を示す図である。
【００２３】
同図に示されるように、音声認識処理画面において、キーボード６やマウス７等の操作により所望とする処理を指示することになる。この例では、「Ｗｅｌｃｏｍｅ．ｄｓｓ」というファイルを読み出し、その録音状態が符号１０２で示す位置に表示されている。この表示１０２において、音声データの圧縮率が高く、長時間の記録が可能な記録モードであるＬＰモードで録音されている部分については、斜線で示すような表示１００，１０１がなされ、音声データの圧縮率が低く、高音質で音声認識処理が可能な記録モードであるＳＰモードで録音されている部分については、斜線無しの表示がなされる。従って、各音声ファイルの記録状態を容易に目視可能となっている。
【００２４】
操作者は、ウィンド１０３において、Ａ乃至Ｄのうち所望とするものを選択すれば、ＳＰモードで録音された部分のみの再生、ＬＰモードで録音された部分のみの再生、全ての再生、全ての再生（ＬＰモード録音部分は倍速再生）を行うことができる。即ち、図３（ｂ）に示されるように、例えば、Ａ（ＳＰのみ再生）が選択された場合には、ファイルの先頭から再生を開始し、ＬＰモードの部分に切り替わったとき（タイミング▲１▼）、ＬＰモードの終端（タイミング▲２▼）までジャンプして、その後のＳＰモード録音部分の再生を行い、同様にＬＰモードの録音部分（タイミング▲３▼〜▲４▼間）をジャンプして再生を行うことになる。
【００２５】
一般に、ＳＰモードで録音された部分は、重要部分であることが多く、ＬＰモードで録音された部分は余談等の重要でない部分であることが多い。このような事情をふまえて、この実施の形態では、所望とするものを選択すれば、再生時間の短縮等、効率のよい再生を行うことができるようにしているのである。
【００２６】
次に、図４を参照して、上記ＤＳＳ音声ファイルの構造を示し説明する。
【００２７】
同図に示されるように、ＤＳＳ音声ファイルは、ファイルヘッダ２００と音声ファイル２０１で構成されており、当該音声データ２０１は、ＤＳＳブロックヘッダ２０２と音声データ２０３からなる。この実施の形態では、ＤＳＳ音声ファイルは、ブロック毎に圧縮率をＳＰモードかＬＰモードに切り替えて録音する事が可能となっているが、上記ＤＳＳブロックヘッダ２０２に、ＳＰ／ＬＰモードの録音状態の情報が記憶されている。
【００２８】
以下、実施の形態に係る音声再生システムの動作を詳細に説明する。
【００２９】
先ず、図５のフローチャートを参照して、実施の形態に係る再生装置を適用した音声認識システムによる基本動作を説明する。
【００３０】
動作を開始すると、先ず各種変数のクリア等といった初期設定を行い（ステップＳ１）、所定のファイル選択がされた場合には、選択／非選択に基づいて各種処理を行い（ステップＳ２，Ｓ３）、次のステップＳ４に進む。
【００３１】
ステップＳ４では、ボタンがクリックされた場合には、そのボタン操作に合わせて、それぞれの処理を行うことになる（ステップＳ４，Ｓ５）。この「それぞれの処理」にて、例えば「ＰＬＡＹ」が選択された場合には、後述する図６のシーケンスを実行し、音声を再生することになる。
【００３２】
続いて、図６のフローチャートを参照して、再生動作のシーケンスを説明する。  尚、以下に述べる［ＰＬＡＹ  ＭＯＤＥ」とは、図３のウィンドウ１０３で選択されるＡ乃至Ｄの各モードを意味している。
【００３３】
このシーケンスに入ると、ＰＬＡＹ  ＭＯＤＥに応じた以下の処理を行う。
【００３４】
即ち、先ずＡモード（ＳＰのみ再生）が選択されている場合には（ステップＳ１１）、ＤＳＳ音声ファイルのファイルヘッダ２００を読み込み、ＳＰモード録音部分のみを再生し（ステップＳ１３，Ｓ１４）、データエンドとなるまで上記再生動作を繰り返し（ステップＳ１６）、データエンドとなると、再生動作を終了する。上記動作の途中で、停止ＳＷ１０４がクリックされると、直ちに再生動作を終了する（ステップＳ１５，Ｓ１７）
次に、Ｂモード（ＬＰのみ再生）が選択されている場合には（ステップＳ１８）、ＤＳＳ音声ファイルのファイルヘッダ２００を読み込み、ＬＰモード録音部分のみを再生し（ステップＳ１９，Ｓ２０）、データエンドとなるまで、上記再生動作を繰り返し（ステップＳ２３）、データエンドとなると、動作を終了する。上記動作の途中で、停止ＳＷ１０４がクリックされると、直ちに再生動作を終了する（ステップＳ２２，Ｓ２４）。
【００３５】
また、Ｃモード（全て再生）が選択されている場合には（ステップＳ２５）、ＤＳＳ音声ファイルのファイルヘッダ２００を読み込み、全てのデータを再生し（ステップＳ２７）、データエンドとなるまで、上記再生動作を繰り返し（ステップＳ２９）、データエンドとなると、動作を終了する。上記動作の途中で、停止ＳＷ１０４がクリックされると、直ちに再生動作を終了する（ステップＳ２８，Ｓ３０）。
【００３６】
一方、Ｄモード（ＬＰ倍速再生）が選択されている場合には（ステップＳ３１）、ＤＳＳ音声ファイルのファイルヘッダ２００を読み込み、ＳＰモード録音部分を通常速度で再生し、ＬＰモード録音部分を倍速で再生し（ステップＳ３３，Ｓ３４）、データエンドとなるまで、上記動作を繰り返し（ステップＳ３６）、データエンドとなると、再生動作を終了する。上記再生動作の途中で、停止ＳＷ１０４がクリックされると、直ちに動作を終了する（ステップＳ３５）。
【００３７】
以上説明したように、本実施の形態によれば、ＳＰモード、ＬＰモードの別を判別して、少なくとも所望とする録音部分のみ、所望とする速度で再生することができるので、利用効率も高まることになる。
【００３８】
以上、本発明の実施の形態について説明したが、本発明はこれに限定されることなく、その主旨を逸脱しない範囲で種々の改良・変更が可能である。例えば、上記実施の形態では、ＳＰモード録音部分のみ、ＬＰモード録音部分のみ、双方、ＬＰモード録音部分のみ倍速再生といった４つのモードに従った再生を実現する再生装置及び再生プログラムを記録した記録媒体を例に挙げて説明したが、他のモードを設けることも可能であることは勿論である。
【００３９】
また、本実施の形態では、記録モードの例としてＳＰモードとＬＰモードのような圧縮率が複数種類ある場合について説明を行ったが、これに限られることなく、例えば「分析合成符号化方式」、「波形符号化方式」、「ハイブリッド方式」等の圧縮方式が異なる場合においても応用が可能である。すなわち、「分析合成符号化方式」（あるいは「波形符号化方式」または「ハイブリッド方式」）のみを再生する、などである。この他にも様々なパターンが考えられるが、ここでは省略する。
【００４０】
尚、本発明の上記実施の形態には、以下の発明が含まれる。
【００４１】
（１）一つのファイルの中に異なる複数種類の圧縮率で記録されたデータが混在するファイルを再生することが可能な再生装置において、
所定の圧縮率で圧縮されたデータのみを再生する再生手段を具備することを特徴とする再生装置。
【００４２】
（２）一つのファイルの中に異なる複数種類の圧縮率で記録されたデータが混在するファイルを再生することが可能な再生装置において、
第１の圧縮率で圧縮されたデータは通常の速度で再生を行い、第２の圧縮率で圧縮されたデータは通常よりも速い速度で再生を行うことが可能な再生手段を具備することを特徴とする再生装置。
【００４３】
（３）上記再生手段は、第１の圧縮率で圧縮されたデータは通常の速度で再生を行い、上記第１の圧縮率よりも圧縮率の高い上記第２の圧縮率で圧縮されたデータは通常よりも速い速度で再生を行うことを特徴とする上記（２）に記載の再生装置。
【００４４】
（４）一つのファイルの中に異なる複数種類の圧縮率で記録されたデータが混在するファイルを再生することが可能な再生装置において、
所定の圧縮率で圧縮されたファイルのみを再生するか、あるいはファイル内のデータを全て再生するかを選択する選択手段と、
上記選択手段での選択結果に基づいてデータの再生を行うデータ再生手段と、を具備することを特徴とする再生装置。
【００４５】
（５）さらに上記選択手段は、上記ファイル内のデータの全てを再生することを選択する際、所定の圧縮率で圧縮されたデータの部分を通常の再生速度よりも速い速度で再生するか否かを選択することが可能であることを特徴とする上記（４）に記載のデータ再生装置。
【００４６】
（６）複数のブロックに分割され、そのブロック毎に音声データの圧縮率の指定が可能な音声データファイルを再生することが可能な再生装置において、
上記ブロックのヘッダ部分にある圧縮率情報を読み取り、該ブロックの圧縮率を検出する圧縮率検出手段と、
上記圧縮率検出手段により検出された圧縮率が所定の圧縮率である場合には該ブロックの再生を行う再生手段と、
を有することを特徴とする再生装置。
【００４７】
（７）複数のブロックに分割され、そのブロック毎に音声データの圧縮率の指定が可能な音声データファイルを再生することが可能な再生装置において、
上記ブロックのヘッダ部分にある圧縮率情報を読み取り、該ブロックの圧縮率を検出する圧縮率検出手段と、
上記圧縮率検出手段により検出された圧縮率が所定の圧縮率である場合には通常の速度で該ブロックの音声データの再生を行い、検出された圧縮率が所定の圧縮率とは異なる場合には通常よりも速い速度で該ブロックの音声データの再生を行う再生手段と、
を有することを特徴とする再生装置。
【００４８】
（８）複数のブロックに分割され、そのブロック毎に該ブロックに関する属性情報を有する音声データファイルを再生することが可能な再生装置において、
上記属性情報を読み取る読取手段と、
上記読取手段により読み取られた属性情報に応じて該ブロックの再生速度または再生を行うか否かを設定する設定手段と、
上記設定手段の設定に基づいて該ブロックの再生を行う再生手段と、
を有することを特徴とする再生装置。
【００４９】
（９）コンピュータによって、一つのファイルの中に異なる複数種類の圧縮率で記録されたデータが混在するファイルを再生させることが可能な再生プログラムを記録した記録媒体であって、
上記再生プログラムは、コンピュータに対して、所定の圧縮率で圧縮されたデータのみを再生させることを特徴とする再生プログラムを記録した記録媒体。
【００５０】
（１０）コンピュータによって、一つのファイルの中に異なる複数種類の圧縮率で記録されたデータが混在するファイルを再生することが可能な再生プログラムを記録した記録媒体であって、
上記再生プログラムは、コンピュータに対して、第１の圧縮率で圧縮されたデータは通常の速度で再生を行わせ、第２の圧縮率で圧縮されたデータは通常よりも速い速度で再生を行わせることを特徴とする再生プログラムを記録した記録媒体。
【００５１】
（１１）上記再生プログラムは、コンピュータに対して、第１の圧縮率で圧縮されたデータは通常の速度で再生を行わせ、上記第１の圧縮率よりも圧縮率の高い上記第２の圧縮率で圧縮されたデータは通常よりも速い速度で再生を行わせることを特徴とする上記（１０）に記載の再生プログラムを記録した記録媒体。
【００５２】
（１２）コンピュータによって、一つのファイルの中に異なる複数種類の圧縮率で記録されたデータが混在するファイルを再生させることが可能な再生プログラムを記録した記録媒体であって、
上記再生プログラムは、コンピュータに対して、所定の圧縮率で圧縮されたファイルのみを再生させるか、あるいはファイル内のデータを全て再生させるかを選択させ、上記選択結果に基づいてデータを再生させることを特徴とする再生プログラムを記録した記録媒体。
【００５３】
（１３）上記プログラムは、上記ファイル内のデータの全てを再生させることを選択する際、所定の圧縮率で圧縮されたデータの部分を通常の再生速度よりも速い速度で再生させるか否かを選択することが可能であることを特徴とする請求項１２に記載の再生プログラムを記録した記録媒体。
【００５４】
（１４）コンピュータによって、複数のブロックに分割され、そのブロック毎に音声データの圧縮率の指定が可能な音声データファイルを再生させることが可能な再生プログラムを記録した記録媒体であって、
上記再生プログラムは、コンピュータに対して、上記ブロックのヘッダ部分にある圧縮率情報を読み取り、該ブロックの圧縮率を検出させ、上記圧縮率が所定の圧縮率である場合には該ブロックを再生させることを特徴とする再生プログラムを記録した記録媒体。
【００５５】
（１５）コンピュータによって、複数のブロックに分割され、そのブロック毎に音声データの圧縮率の指定が可能な音声データファイルを再生させることが可能な再生プログラムを記録した記録媒体であって、
上記再生プログラムは、コンピュータに対して、上記ブロックのヘッダ部分にある圧縮率情報を読み取らせることで該ブロックの圧縮率を検出させ、上記圧縮率が所定の圧縮率である場合には通常の速度で該ブロックの音声データを再生させ、上記圧縮率が所定の圧縮率とは異なる場合には通常よりも速い速度で該ブロックの音声データを再生させることを特徴とする再生プログラムを記録した記録媒体。
【００５６】
（１６）コンピュータに対して、複数のブロックに分割され、そのブロック毎に該ブロックに関する属性情報を有する音声データファイルを再生させることが可能な再生プログラムを記録した記録媒体において、
上記再生プログラムは、コンピュータに対して、上記属性情報を読み取らせ、上記属性情報に応じて該ブロックの再生速度または再生を行うか否かを設定させ、上記設定に基づいて該ブロックを再生させることを特徴とする再生プログラムを記録した記録媒体。
【００５７】
【発明の効果】
以上詳述したように、本発明によれば、同一ファイル内に複数の記録モードが混在している場合において、ユーザが所望とする効率の良い再生をすることが可能な再生装置を提供することができる。
【図面の簡単な説明】
【図１】本発明の実施の形態に係る再生装置が適用された音声処理システムの構成を示す概念図である。
【図２】パーソナルコンピュータ４周辺の詳細な構成を示す図である。
【図３】実際の音声認識処理画面（ウィンドウ）を示す図である。
【図４】ＤＳＳ音声ファイルの構造を示す図である。
【図５】実施の形態に係る再生装置を適用した音声認識システムによる基本動作を示すフローチャートである。
【図６】再生動作のシーケンスを説明するフローチャートである。
【符号の説明】
１  ディジタルレコーダ
２  ミニチュアカード
３  ＰＣカードアダプタ
４  パーソナルコンピュータ
５  ディスプレイ
６  キーボード
７  マウス
８  制御プログラム
９  音声認識プログラム
【図１】
0004601095.tif 000002
【図２】
0004601095.tif 000003
【図３】
0004601095.tif 000004
【図４】
0004601095.tif 000005
【図５】
0004601095.tif 000006
【図６】
0004601095.tif 000007